(57)【要約】      （修正有）【課題】社会生活における日常ツールである携帯電話の汎用性を十分に生かし、携帯電話ユーザーの利便性を向上することのできる携帯電話装置を提供する。【解決手段】携帯電話装置１は携帯電話本体１ａの外側に樹脂製の靴べら２が取り付けられてなる。この靴べら２をスライドさせることにより、長さを伸ばし、靴べら２としての機能が得られる。靴べら２は携帯電話本体１ａ側側面とは反対側の外面２ａに装飾部３を備える。また靴べら２は携帯電話本体１ａに係合した状態でスライドして携帯電話本体１ａとの係合状態を保持するためのガイドを有し、ガイドは靴べら２と一体成形によって形成されてなる。一方、携帯電話本体１ａには靴べら２のガイドが係合し、携帯電話本体１ａ側面に形成されたスライド溝とされるスライド用ガイドレールがその長手方向の靴べら２のスライド方向に沿って形成される。【選択図】図１
2008244577.tif 000002
【特許請求の範囲】
【請求項１】
携帯電話本体に靴べらを取り付けてなることを特徴とする携帯電話装置。
【請求項２】
携帯電話本体長手方向に沿ったスライド機構によって靴べらを出し入れ自在に取り付けてなることを特徴とする携帯電話装置。
【請求項３】
靴べらの携帯電話本体側側面とは反対側の外面に装飾部が設けられる請求項１又は請求項２記載の携帯電話装置。
【請求項４】
携帯電話本体が振動手段を備え、スライド機構によって靴べらが引き出された状態で振動手段を駆動するスイッチを備える請求項２又は請求項３記載の携帯電話装置。
【発明の詳細な説明】
【技術分野】
【０００１】
本発明は、付加機能を備えた携帯電話装置に関する。
【背景技術】
【０００２】
携帯電話は多くの人が所持していることから、例えば、特許文献１には拡大レンズの突出・後退を片手で操作することができるとともに、拡大レンズを携帯電話から取り外す必要のない拡大レンズ付携帯電話が開示された。
【０００３】
また特許文献２にはスライドカバー式の携帯電話のカバー体には本体にそって直線状にスライド可能であり、カバー体と本体との間に収容されてなるラインベアリングを設けてなり、カバー体のスライドの円滑性を向上させてなるスライド式カバーを備える携帯電話装置が開示された。
【０００４】
ところで、ビジネスマンはスーツを着込み、革靴を履いて会社や外へ出かけることになる。通常、革靴を履く際には、靴べらを使用してスムーズに靴に足を入れ、靴を履くことができるが、会社や出先で靴を脱いで、履く際に靴べらを持っていないことが多い。すなわち靴べらはビジネスマン必需品だが、携帯されにくいという面があった。
【０００５】
そのような問題に着目し、特許文献３には靴べらに関し、半硬質ビニール製の先端を半円状にし、人工皮革でくるんだ靴ベラをケースの裏の一端にぬいつけて接続し、使用時は靴ベラをケースの外へ向けて折り返し使用後はケース内へたたみ、ケースの表を被せて収納する折り畳み式靴べらを備える定期券ケースが開示された。
【０００６】
【特許文献１】実案第３１１７１００号公報
【特許文献２】実案第３１２４２０６号公報
【特許文献３】特開平１０−２９５４２７号公報
【発明の開示】
【発明が解決しようとする課題】
【０００７】
以上の特許文献１に開示された拡大レンズ付携帯電話は携帯電話における拡大レンズの付加機能に着目したものであるが、拡大レンズの使用場面及びそのニーズは特殊であり、携帯電話のユーザーが同時に拡大レンズのユーザーであるとする根拠はなく、特に昨今の社会生活における必須の日常ツールとしての携帯電話の汎用性を十分に生かすことのできるものではなかった。
【０００８】
この点に関しては特許文献２に開示されたスライドカバー式の携帯電話も単にそのスライドカバーの構造に関して検討するものであって、昨今の社会生活における必須の日常ツールとしての携帯電話の汎用性を十分に生かすという工夫を行ったものではなかった。
【０００９】
特許文献３はビジネスマン必携ツールとしての靴べらに関して、電車等を利用する定期通勤、通学者にとっては必携である定期券のケースと関連づけて靴べらの携帯を容易にしてはいるが、電車等を利用する定期通勤、通学者に固有の利便性を提供するものでしかなく、ビジネスマンのみならず靴べらを必要とする様々な通勤形態や生活形態の人々の利便性を満足することができるものではなかった。
【００１０】
本発明は、以上の従来技術における問題に鑑み、社会生活における必須の日常ツールとしての携帯電話の汎用性を十分に生かし、携帯電話ユーザーの利便性を向上することのできる携帯電話装置を提供することを目的とする。
【課題を解決するための手段】
【００１１】
すなわち本発明の携帯電話装置は、携帯電話本体に靴べらを取り付けてなることを特徴とする。
【００１２】
携帯電話本体長手方向に沿ったスライド機構によって靴べらを出し入れ自在に取り付けてなる様にしてもよい。
【００１３】
靴べらの携帯電話本体側側面とは反対側の外面に装飾部が設けられるてもよい。
【００１４】
携帯電話本体が振動手段を備え、スライド機構によって靴べらが引き出された状態で振動手段を駆動するスイッチを備えるようにすることができる。
【００１５】
［作用］
本発明の携帯電話装置によれば会社や出先で、急に靴べらが必要になった場合に、携帯電話本体に取り付けられた靴べらによって対応することができる。
また足がつかれた際に、靴べらを足と靴の間に入れ、携帯電話本体が振動手段を備え、スライド機構によって靴べらが引き出された状態で振動手段を駆動するスイッチをオンにして振動を起こすことによって、足に刺激を与えることができる。
また、入りにくい靴を履く際に、靴べらに振動を与えることにより、足のすべりを良くして、靴を履きやすくする効果を与えることもできる。
また、靴べらの携帯電話本体側側面とは反対側の外面に装飾部が設けられるので携帯電話の外装デザインを靴べら取り替えるだけで変更することができ、換言すれば、外装デザインを変更した場合に取り外した靴べらはそのまま靴べらとして使用することができ、外装デザインの変更に伴い生じる無駄を無くすことができる。
【発明の効果】
【００１６】
本発明の携帯電話装置によれば靴べらを装備しているので、外出先で靴を履く際に利用することができる。また靴べらを外装とすることで、携帯電話の外装デザインを変えることができ、無駄がない。さらに携帯電話の振動機能を利用しているので、足に刺激を与えることができ、携帯電話装置にマッサージ機能を持たせることができる。加えて携帯電話の振動機能を利用しているので、入りにくい靴を履くさいに、振動で靴へ足の挿入を促すことが可能となり、靴べらとしての使用性を向上することができ、単なる靴べらよりもその点で使用性が高い。
【発明を実施するための最良の形態】
【００１７】
図１は本発明を実施するための最良の形態に係る携帯電話装置の（ａ）斜視図、（ｂ）部分断面模式図、図２は本発明を実施するための他の最良の形態に係る携帯電話装置の（ａ）斜視図、（ｂ）部分断面模式図、図３は本発明を実施するためのさらに他の最良の形態に係る携帯電話装置の斜視図、図４は本発明を実施するためのさらに別の最良の形態に係る携帯電話装置の斜視図であり、各図において同一部分には同一符号を付している。
【００１８】
図１において本発明の実施するための最良の形態に係る携帯電話装置１は携帯電話本体１ａの外側に樹脂製の靴べら２が取り付けられてなる。この靴べら２をスライドさせることにより、長さを伸ばし、靴べら２としての機能が得られる。
【００１９】
靴べら２は靴べら２の携帯電話本体１ａ側側面とは反対側の外面２ａに装飾部３を備える。また靴べら２は携帯電話本体１ａに係合した状態でスライドして携帯電話本体１ａとの係合状態を保持するためのガイド２ｂを有し、ガイド２ｂは靴べら２と一体成形によって形成されてなる。
【００２０】
一方、携帯電話本体１ａには靴べら２のガイド２ｂが係合するスライド用ガイドレール１ｂがその長手方向の靴べら２のスライド方向に沿って形成される。このスライド用ガイドレール１ｂは携帯電話本体１ａ側面に形成されたスライド溝とされる。
【００２１】
図２は本発明を実施するための他の最良の形態に係る携帯電話装置を示し、この実施の形態の携帯電話装置１の携帯電話本体１ａには靴べら２を格納するための空間部４が形成される。この空間部４の外側壁５にはスリット口６及び靴べら取り出しボタン７が設けられる。この靴べら取り出しボタン７を押圧することによってバネ装置（図示せず）によって、靴べら２が格納された空間部４から靴べら２が外部に延出させる。
【００２２】
またスリット口６を介して手動によって靴べら２が格納された空間部４から靴べら２を外部に延出させることができる。
【００２３】
図３は本発明を実施するためのさらに他の最良の形態に係る携帯電話装置１を示し、この実施の形態の携帯電話装置１の携帯電話本体１ａにはその側縁にヒンジ７が取り付けられ、このヒンジ７によって靴べら２が携帯電話本体１ａに開閉自在に取り付けられる。
この実施の形態の携帯電話装置１によれば通常時には靴べら２が閉じられた状態で携帯電話装置１を携帯することが可能であり、靴べら２を使用する際にはヒンジ７を介して靴べら２を開き、靴（図示せず）の着用に使用することができる。
【００２４】
図４は本発明を実施するためのさらに別の実施の形態に係る携帯電話装置の斜視図である。
携帯電話装置１には電波信号を受信することにより携帯電話本体１ａが振動し、その振動で携帯電話装置１が着信状態にあることを知らせる着信告知装置（図示せず）が備えられており、手動のスイッチ８の操作によって電波信号を受信しなくてもこの着信告知装置を起動して振動させることができるようにして、この振動を靴べら２に伝達させて携帯電話装置１の振動機能を使用し、靴べら２を振動させることができる。
それによって入りにくい靴を履く際に、靴べら２に振動を与えることにより、足のすべりを良くして、靴を履きやすくすることができる。
また靴べら２を例えば足つぼ（図示せず）に当てて振動を与え、簡易に真サージ効果を得ることもできる。
【図面の簡単な説明】
【００２５】
【図１】本発明を実施するための最良の形態に係る携帯電話装置の（ａ）斜視図、（ｂ）部分断面模式図
【図２】本発明を実施するための他の最良の形態に係る携帯電話装置の（ａ）斜視図、（ｂ）部分断面模式図
【図３】本発明を実施するためのさらに他の最良の形態に係る携帯電話装置の斜視図
【図４】本発明を実施するためのさらに別の最良の形態に係る携帯電話装置の斜視図
【符号の説明】
【００２６】
１・・・携帯電話装置、１ａ・・・携帯電話本体、２・・・靴べら、３・・・装飾部、２ｂ・・・ガイド、１ｂ・・・スライド用ガイドレール、４・・・空間部、６・・・スリット口、８・・・スイッチ。
【図１】
2008244577.tif 000003
【図２】
2008244577.tif 000004
【図３】
2008244577.tif 000005
【図４】
2008244577.tif 000006